(57)【要約】【課題】  モーアではトラクタ車体の後部に刈取芝草を収容するコレクタを装着するが、収容芝草の排出時には、排出時の芝草がこの車体後部に降りかかったり、車体後輪部に巻き込まれ邪魔になる。【解決手段】  集送ダクト１を連通させる集送口２を有した仕切板３と、この仕切板３の後側に対して開閉可能の収容カバー４とからなるコレクタケース５を、この集送ダクト１後端部における仕切板３の上端部の支持軸６周りに後上方へ回動させる回動操作手段２７を設け、この回動操作手段２７と前記仕切板３との間には、この仕切板３を回動操作手段２７の操作に基づき収容カバー４に接近して回動すると共に、この回動途中で仕切板３を後下がり傾斜姿勢に回動停止させる連繋手段４８を設け、回動操作手段２７を更に操作し、これら仕切板３と収容カバー４との間を開いて集草を後方へ排出する。 【選択図】  図１
2009055789.tif 000002
【特許請求の範囲】
【請求項１】
集送ダクト（１）を連通させる集送口（２）を有した仕切板（３）と、この仕切板（３）の後側に対して開閉可能の収容カバー（４）とからなるコレクタケース（５）を、この集送ダクト（１）後端部における仕切板（３）の上端部の支持軸（６）周りに後上方へ回動させる回動操作手段（２７）を設け、この回動操作手段（２７）と前記仕切板３との間には、この仕切板（３）を回動操作手段（２７）の操作に基づき収容カバー（４）に接近して回動すると共に、この回動途中で仕切板（３）を後下がり傾斜姿勢に回動停止させる連繋手段（４８）を設け、回動操作手段（２７）を更に操作することによってこれら仕切板（３）と収容カバー（４）との間を開いて集草を後方へ排出することを特徴とするモーアコレクタ。
【請求項２】
前記収容カバー（４）の下端部には起伏回動可能の堰止板（７）を設け、この収容カバー（４）の後方上部への開回動に伴って該堰止板（７）を下方へ回動して収容芝草の排出位置を後方へ移行することを特徴とする請求項１に記載のモーアコレクタ。
【発明の詳細な説明】
【技術分野】
【０００１】
この発明は、トラクタの前部や腹部等にモーアデッキを装着するトラクタモーアにおいて、このモーアデッキ内部に装備する刈刃用ブレードで刈り取られた芝草をブロワーで吸引搬送してコレクタへ収容した集草を、車体の後側へ排出するモーアコレクタに関するもので、車体後方部の離間位置へ排出するものである。
【背景技術】
【０００２】
モーアデッキとコレクタとの間をシュータとブロワーで連結して、このモーアデッキで刈り取られた芝草をブロワーで吸引搬送して、コレクタに送り込んで集草する構成、及び、このコレクタをリフトリンク機構を介して後上部へ回動して開放させて収容芝草を刈取跡地面に排出させる形態の技術（例えば、特許文献１参照）が知られている。
【特許文献１】特開平１１−５６０６４号公報（第２頁、図１）。
【発明の開示】
【発明が解決しようとする課題】
【０００３】
フロントモーアや、ミッドモーアでは、トラクタ車体の後部に刈取芝草を収容するコレクタを装着することが多く、又、この位置にはエンジンを搭載する形態が一般的であるため、このコレクタによる収容芝草の排出時には、排出時の芝草がこの車体後部のエンジンに降りかかったり、吸引され易く、車体後輪部に巻き込まれて邪魔になりやすい。
【課題を解決するための手段】
【０００４】
請求項１に記載の発明は、集送ダクト１を連通させる集送口２を有した仕切板３と、この仕切板３の後側に対して開閉可能の収容カバー４とからなるコレクタケース５を、この集送ダクト１後端部における仕切板３の上端部の支持軸６周りに後上方へ回動させる回動操作手段２７を設け、この回動操作手段２７と前記仕切板３との間には、この仕切板３を回動操作手段２７の操作に基づき収容カバー４に接近して回動すると共に、この回動途中で仕切板３を後下がり傾斜姿勢に回動停止させる連繋手段４８を設け、回動操作手段２７を更に操作することによってこれら仕切板３と収容カバー４との間を開いて集草を後方へ排出することを特徴とするモーアコレクタの構成とする。
【０００５】
モーアデッキによる芝草の刈取作業時は、コレクタケース５は回動軸６の周りに前側下方へ回動して、仕切板３の集送口２が集送ダクト１にのぞみ、この仕切板３の後側に収容カバー４を受けてコレクタケース５を形成する。前方のモーアデッキで刈取られた芝草は、集送ダクト１を介して後方へ搬送されて、仕切板３の集送口２からコレクタケース５内に収容される。
【０００６】
コレクタケース５内に収容された芝草が満杯になると、回動操作手段２７によりコレクタケース５を支持軸６の周りに後上部へ向けて回動させて、このコレクタケース５の下方部を開口して集草を落下排出させる。このとき、コレクタケース５の回動に伴って連繋手段４８を介在するため、仕切板３が支持軸６周りに一体的に後方回動でき、この仕切板３と収容カバー４との間に収容された集草は排出されないで、この仕切板３の後方傾斜回動によって排出落下位置を後方へ移動させる。この仕切板３の回動が一定位置に達すると停止して、収容カバー４だけが後上方へ回動し、仕切板３との間を開放して収容していた芝草を開口部から落下排出させる。このため仕切板３の後方への傾斜によって流下案内される芝草は車体の後端部から後方へ離間した位置に排出される。
【０００７】
請求項２に記載の発明は、前記収容カバー４の下端部には起伏回動可能の堰止板７を設け、この収容カバー４の後方上部への開回動に伴って該堰止板７を下方へ回動して収容芝草の排出位置を後方へ移行することを特徴とする。
【０００８】
モーアデッキで刈り取られて集送ダクト１を経て搬送された芝草をコレクタケース５内に収容するときは、堰止板７を起立した形態の収容カバー４を前側の仕切板３に接近回動させてコレクタケース５を形成して、この集送口２部から集草される芝草を収容する。この収容される芝草は、収容カバー４の下端部の堰止板７によって係止されるように支持されているため、この収容カバー４が支持軸６の周りに後方回動されても所定の開放回動域にわたっては集草は排出されることなく後方へ運ばれて、車体の後端部から後方へ離間された位置に運ばれる。この位置で該堰止板７が収容カバー４に対して下方へ倒れ回動して収容保持していた集草を落下排出する。
【発明の効果】
【０００９】
請求項１に記載の発明は、集送ダクト１後端部の支持軸６の周りに仕切板３と収容カバー４とを前後回動させる構成であるから、集草位置において、かつ集草姿勢のままで、定位置の支持軸６の周りに仕切板３とコレクタケース５を回動させて、集草排出を行わせるもので、後方への回動途中で仕切板３の回動を止めることによって、この仕切板３により集草を車体後端部から後方へ離間した位置に案内して流下させることができる。
【００１０】
又、コレクタケース５の開閉回動支持構成を簡単にすることができると共に、コレクタケース５を高位置へ昇降することなく低位置において開閉回動するため、安定した集草排出を行わせることができる。
【００１１】
請求項２に記載の発明は、前後に回動して集草する収容カバー４の下端部に起伏可能の堰止板７を設けて、この堰止板７を排出回動の初期域では起立状態にして、この堰止板７を後方へ回動させた位置で下方へ倒伏回動させることにより、集草を保持移動して排出を遅らせて落下排出位置を車体の後端部から後方位置へ離間させることができる。構成簡単にして的確な排出を行わせることができる。
【発明を実施するための最良の形態】
【００１２】
この発明の実施の形態を、トラクタ腹部に装着したミッドモーアに適用した場合について図面に基づき説明する。
図１〜図３に基づいて、トラクタ車体はステアリングハンドル８によって操向する前輪９、及び運転席１０下方の後輪１１を配置して、この前部ボンネット１２下に搭載のエンジン１３によって駆動伝動して走行することができる。この車体腹部にモーアデッキ１４を平行リンク１５、１６によって吊り下げて、リフトアーム１７の回動によって昇降可能に設けられる。このモーアデッキ１４には左右一対のブレード軸１８の周りに回転するブレード１９が設けられる。このモーアデッキ１４幅の後側中央部に集送ダクト２を連結して、このダクト２を左右の後輪１１間隔部を通して、車体後端部に装着のコレクタケース５内に連通させる。このコレクタケース５は、車体後部の取付けフレーム２０に対して支持軸６の周りに前後方向へ回動自在に支持する仕切板３と、この後側の収容カバー４とから構成される。
【００１３】
ここにおいて、この発明に係るモーアコレクタは、集送ダクト１を連通させる集送口２を有した仕切板３と、この仕切板３の後側に対して開閉可能の収容カバー４とからなるコレクタケース５を、この集送ダクト１後端部における仕切板３の上端部の支持軸６周りに後上方へ回動させると共に、この回動途中で仕切板３を後下がり傾斜姿勢に回動停止させて、これら仕切板３と収容カバー４との間を開いて集草を後方へ排出することを特徴とするものである。
【００１４】
モーアデッキによる芝草の刈取作業時は、コレクタケース５は回動軸６の周りに前側下方へ回動して、仕切板３の集送口２が集送ダクト１にのぞみ、この仕切板３の後側に収納カバー４を受けてコレクタケース５を形成する。前方のモーアデッキで刈取られた芝草は、集送ダクト１を介して後方へ搬送されて、仕切板３の集送口２からコレクタケース５内に収容される。
【００１５】
コレクタケース５内に収容された芝草が満杯になると、コレクタケース５を支持軸６の周りに後上部へ向けて回動させて、このコレクタケース５の下方部を開口して集草を落下排出させる。このとき、コレクタケース５の回動に伴って仕切板３が支持軸６周りに一体的に後方回動するため、この仕切板３と収容カバー４との間に収容された集草は排出されないで、この仕切板３の後方傾斜回動によって排出落下位置を後方へ移動させる。
【００１６】
この仕切板３の回動が一定位置に達すると停止して、収容カバー４だけが後上方へ回動し、仕切板３との間を開放して収容していた芝草を開口部から落下排出させる。このため仕切板３の後方への傾斜によって流下案内される芝草は車体の後端部から後方へ離間した位置に排出される。
【００１７】
前記取付フレーム２０は集送ダクト１の排出口部を取り囲むように囲桁形態に構成して車体の後端部に取り付けている。この取付フレーム２０の上端左右両側部に支持ブラケット２１を設け、この左右の支持ブラケット２１間にわたって支持軸６を設け、この支持軸６の周りに仕切板３の上端と、収容カバー４の前端上部とを前後方向へ回動自在にして取付ける。
【００１８】
この仕切板３には前記集送ダクト１の後端のダクト口を臨ませる集送口２を形成して、この仕切板３が取付フレーム２０の方向と平行の上下方向に沿った状態のとき、集送口２が集送ダクトのダクト口２２に臨む形態になる。この仕切板３の後側には、収容カバー４の前端開口のカバー口部２３とこれを囲繞するカバー口フレーム２６とを重合させて、このカバー口部２３を閉鎖状態にすることができる。この収容カバー４はかご型形状のカバーフレーム２４とこの外周部をネット材２５で被覆して、上側面はカバー２６で覆っている。
【００１９】
このような収容カバー４カバー口フレーム２６部に沿って、回動操作手段としての操作レバー２７を上下方向に設け、この操作レバー２７を運転者が把持して前後方向へ回動することによって、コレクタケース５を支持軸６の周りに回動して、集草の排出作業を行うことができる構成としている。
【００２０】
これらコレクタケース５を構成する仕切板３とカバーフレーム２４との間には、ダンパー２８を設けて、この仕切板２を常時カバー口フレーム２６に押圧させてカバー口２３を閉鎖するようにしている。又、前記フレーム２０にはピンガイド穴２９を有したブラケット３０を設け連繋手段４８を構成し、このピンガイド穴２９に仕切板３から突出のガイドピン３１を嵌合させている。
【００２１】
そして、この連繋手段４８を介在することにより、操作レバー２７の操作によってコレクタケース５を支持軸６の周りに一定の排出位置Ａまで回動するときは、ダンパー２８の作用によって仕切板３がカバー口フレーム２６と一体に回動して、カバー口２３を閉鎖状態に維持して集草を排出させないように維持する。
【００２２】
操作レバー２７を更に回動するとこのガイドピン３０がピンガイド穴２９に係合して仕切板２の回動が後下がり姿勢の排出位置Ａに係止されると共に、カバーフレーム２４だけが上限位置Ｂに回動されて、これら排出位置Ａに傾斜位置する仕切板２と、上限位置Ｂのカバー口２３との間に集草排出口Ｃを開いて、コレクタケース５内の集草をこの仕切板２の傾斜面に案内させて後方へ流下排出Ｄさせることができる。
【００２３】
芝草を排出Ｄした後は、操作レバー２７を後側へ戻すことによって上限位置Ｂの収容カバー４を下動させて排出位置Ａの仕切板２に重合させ、集草排出口Ｃを閉じる。この状態で更に下動して芝草を収容する位置に戻り、集送ダクト１から集送口２を経て集草を再開させる。
【００２４】
前記コレクタケース５に対する集草において、集送ダクト１の底部には後半部位置の前後二個所に前板３２と後板３３を上下に回動させて開閉可能に構成し、運転席１０横側のレバー３４の操作でリンク３５、３６連結して開閉可能に構成している。
【００２５】
前板３２は上方へ回動することによって底部に開口３７を形成し、このダクト１を搬送される芝草を吐出排出させる。又後板３３は集送口２側の下端部位置のフレーム２０等に取付けて、上下に回動させて底部に形成した開口３８を開閉させる。この後板３３によって開口３８を開いた状態では仕切板３の集送口２を閉鎖する関係に構成して、この後板３３の閉鎖するときこの後板３３上に位置する芝草を集送口２からコレクタケース５内へ押込んで搬送詰まりを防止する。
【００２６】
前記コレクタケース５の集草を排出するときこれら前板３２、後板３３を操作して開口３７、３８を開いてダクト１内の搬送芝草を下方へ排出させて、搬送詰まりを防止するものである。
【００２７】
又、前記コレクタケース５を開閉操作する操作レバー２７にフック３９を設け、この操作レバー２７をカバー口フレーム２６に対して上下に移動操作して、このフック３９をフレーム２０のブラッケット４０に形成のロック穴４１に係合することによって、コレクタケース５を上限位置Ｂに維持することができ、集送口２を開口状態にしてダクト１内部の掃除を行い易くするものである。
【００２８】
次に、図４に基づいて堰止板の構成について説明する。前記収容カバー４の下端部には起伏回動可能の堰止板７を設け、この収容カバー４の後方上部への開回動に伴って該堰止板７を下方へ回動して収容芝草の排出位置を後方へ移行することを特徴とする。
【００２９】
モーアデッキで刈取られて集送ダクト１を経て搬送された芝草をコレクタケース５内に収容するときは、堰止板７を起立した形態の収容カバー４を前側の仕切板３に接近回動させてコレクタケース５を形成して、この集送口２部から集草される芝草を収容する。この収容される芝草は、収容カバー４の下端部の堰止板７によって係止されるように支持されているため、この収容カバー４が支持軸６の周りに後方回動されても所定の開放回動域にわたっては集草が排出されることなく後方へ運ばれて、車体の後端部から後方へ離間された位置に運ばれる。この位置で該堰止板７が収容カバー４に対して下方へ倒れ回動して収容保持していた集草を落下排出する。
【００３０】
この堰止板７の起伏回動はコンテナケース５の回動によるリンクロッド４２、クランクアーム４３の連動によって行われる。堰止板７を回動自在に支持する堰軸４４の一端部が、カバー口２３に沿って設けられるリンクロッド４２下端部のクランクアーム４３を介して連結され、このコレクタケース５が集草位置にある時はリンクロッド４２の位置によって堰止板７がカバー口２３に沿って起立されて、コレクタ内の集草排出を係止する状態にあるが、このコレクタケース５を排出位置Ａから上限位置Ｂへ回動操作することによって、リンクロッド４２によりクランクアーム４３が回動されて堰止板７がカバー口２３の下側へ回動されて、このコレクタ内の集草の排出が行われ易い状態にすることができる。
【００３１】
次に、図５に基づいて堰止板の変形例を説明する。コレクタケース５のカバー口２３部に前記後板３３と堰止板７とを一体とした形態の案内板４５を設ける。
コレクタケース５における集草時は、この集送口３における集草を受けて案内すると共に、コレクタケース５の排出位置Ａへの回動においてはこの案内板４５を起立させたままの状態で回動させて、これらコレクタケース５内、及び後板３３上部の集草を受けた状態に維持して集草量を多く保持する。
【００３２】
この案内板４５は、コレクタケース５の上限位置Ｂに回動したとき、堰軸４４周りに下方回動して集草排出を行われ易くする。前記案内板４５の堰止板７部の堰軸４４下部のリンクアーム４６を操作レバー２７の下端部に連結していて、集草位置ではカバーフレーム２４に対する案内板４５へのスプリング４７の連結によって、この案内板４５を閉鎖状態に維持する。排出位置Ａから上限位置Ｂに回動することによってカバー口フレーム２６と操作レバー２７との関係構成位置によってリンクアーム４６、及び堰止板７をスプリング４７に抗して堰軸４４周りに下方へ回動させて集草排出を行わせ易くする。
【００３３】
図６に基づいて、トラクタのフロントモーアにおいて、車体５０の運転席１０後部にエンジン１３を搭載し、このエンジン１３の上側にコレクタ５１をリヤフレーム５２の支持軸５３周りに回動可能に支持して、ローダンプ形態に構成して操作性を高めるものである。このコレクタ５１のダンプ操作は運転席１０の横側に配置する操作レバー５４の上下操作によってリンク５５、ダンパー５６を介して行われる。運転席１０とエンジン１３ルームとの間に、上部ロプス５７を折畳軸５８の周りに後方へ折畳み可能のロプス５９を設けて、非作業時にはこの上部ロプス５７を折畳んで邪魔にならないようにすることができる。
【００３４】
コレクタ５１の前側には供給口６０を有してフロントモーアデッキとの間を集送ダクトで連結して、刈取芝草を集送するように構成している。このコレクタ５１の集草を排出するときは、操作レバー５４をレバー軸６１の周りに押下げて回動すると、リンク５５を介してコレクタ５１が支持軸５３の周りに後転ダンプされて、後端部の排出口６２の排出カバー６３を開いて集草を排出させる。
【００３５】
又、これら操作レバー５４とコレクタ５１との間にわたって連結する牽制ロッド６４によってコレクタ５１のダンプ姿勢を規制する構成としている。
次に、主として図７に基づいて、ハイダンプ形態のコレクタを搭載したフロントモーアを示すもので、コレクタ５１を上下一対の平行リンク６６、６７で支持して油圧リフトシリンダ７０の伸縮によって昇降する形態において、車体１３の後方にこれらリンク６６、６７のリヤフレーム５２に対するリンク支持軸６８、６９を設け、このリフトシリンダ７０を上下平行リンク６６、６７間に沿うように配置するものでありる。
【００３６】
これら平行リンク６６、６７、及びリフトシリンダ７０等で構成される上下スペースを狭く形成して、コレクタ５１の容量を大きくし、搭載高さを低くすることができる。又、このコレクタ５１のダンプ形態は、平行リンク６６、６７の先端部間にわたって連結の鈎形状の支持アーム７１の後端部にダンプ軸７２周りに回動可能に支持し、これら支持アーム７１とコレクタ５１との間にわたって設けるダンプシリンダ７３の伸縮によってダンプさせることができる。
【図面の簡単な説明】
【００３７】
【図１】モーアコレクタ部の側面図。
【図２】その操作レバー部の斜視図。
【図３】そのコレクタケース部の作動状態を示す斜視図。
【図４】一部別例を示すコレクタケース部の側面図と、一部の斜視図。
【図５】一部別例を示すコレクタケース部の側面図。
【図６】一部別例のローダンプ形態のコレクタケース部の作動状態を示す側断面図。
【図７】一部別例のハイダンプ形態のコレクタケース部の作動状態を示す側断面図。
【符号の説明】
【００３８】
１        集送ダクト
２        集送口
３        仕切板
４        収容カバー
５        コレクタケース
６        支持軸
７        堰止板
【図１】
2009055789.tif 000003
【図２】
2009055789.tif 000004
【図３】
2009055789.tif 000005
【図４】
2009055789.tif 000006
【図５】
2009055789.tif 000007
【図６】
2009055789.tif 000008
【図７】
2009055789.tif 000009